【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
複数の項目の少なくとも一部を表示部に表示可能な表示制御装置において、
前記複数の項目を第１のサイズで前記表示部に表示すると共に、スクロールの操作に応じて前記項目を前記表示部においてスクロール表示するスクロール表示制御手段を備え、
前記スクロール表示制御手段は、前記スクロール操作に応じて、前記表示部に表示する項目の少なくとも一部を前記第１のサイズまでズームアップして表示することを特徴とする表示制御装置。
【請求項２】
複数の項目の少なくとも一部を表示部に表示可能な表示制御装置において、
スクロールの操作に応じて前記項目を前記表示部においてスクロール表示するスクロール表示制御手段を備え、
前記スクロール表示制御手段は、前記スクロール操作に応じて、前記表示部に表示する項目の内、前記スクロール表示のスクロール方向とは逆側の該項目をズームアップして表示することを特徴とする表示制御装置。
【請求項３】
複数の項目の少なくとも一部を表示部に表示可能な表示制御装置において、
前記複数の項目を前記表示部に表示すると共に、スクロールの操作に応じて前記項目を前記表示部において左右又は上下にスクロール表示するスクロール表示制御手段を備え、
前記スクロール表示制御手段は、前記スクロール操作に応じて、前記表示部に表示する少なくとも一部の項目を前記スクロール表示の前記左右又は上下で異なるズームアップをして表示することを特徴とする表示制御装置。
【請求項４】
複数の項目の少なくとも一部を表示部に表示可能な表示制御装置において、
前記複数の項目を第１のサイズで前記表示部に表示すると共に、スクロールの操作に応じて前記項目を前記表示部においてスクロール表示するスクロール表示制御手段を備え、
前記スクロール表示制御手段は、前記スクロール操作に応じて、前記表示部に表示する項目の少なくとも一部を前記第１のサイズより小なるサイズから前記第１のサイズまで徐々に拡大して表示することを特徴とする表示制御装置。
【請求項５】
仮想空間に配置した複数の項目を所定平面に投影した画像を表示部に表示可能な表示制御装置において、
スクロールの操作に応じて前記複数の項目を前記仮想空間内で移動することにより前記表示部においてスクロール表示するスクロール表示制御手段を備え、
前記スクロール表示制御手段は、前記複数の項目の少なくとも一部を前記所定平面より離れた位置から近い位置に移動することによりズームアップして表示することを特徴とする表示制御装置。
【請求項６】
仮想空間に配置した複数の項目を該仮想空間に配置した仮想カメラで撮影した画像を表示部に表示可能な表示制御装置において、
スクロールの操作に応じて前記複数の項目又は前記仮想カメラの少なくとも一方を前記仮想空間内で移動することにより前記表示部においてスクロール表示するスクロール表示制御手段を備え、
前記スクロール表示制御手段は、前記複数の項目の少なくとも一部と前記仮想カメラの少なくとも一方を前記複数の項目と前記仮想カメラの距離が近くなるよう移動することにより、前記複数の項目の少なくとも一部をズームアップして表示することを特徴とする表示制御装置。
【請求項７】
複数の項目の少なくとも一部を表示部に表示可能な表示装置において、前記複数の項目の少なくとも一部を前記表示部に表示すると共に、スクロールの操作に応じて前記項目を前記表示部において円弧状にスクロール表示するスクロール表示制御手段を備え、前記スクロール表示制御手段は、前記スクロール操作に応じて、前記表示部に表示する前記複数の項目の少なくとも一部をほかの項目に比べ異なるサイズで表示することを特徴とする表示制御装置。
【請求項８】
複数の項目の少なくとも一部を表示部に表示可能な表示装置において、前記複数の項目の少なくとも一部を前記表示部に表示すると共に、スクロールの操作に応じて前記項目を前記表示部において略円状又は楕円状にスクロール表示するスクロール表示制御手段を備え、前記スクロール表示制御手段は、前記スクロール操作に応じて、前記表示部に表示する前記複数の項目の少なくとも一部をほかの項目に比べ異なるサイズで表示することを特徴とする表示制御装置。
【請求項９】
前記スクロール操作を指示する第１の操作手段と第２の操作手段とを備え、
前記第１の操作手段により前記スクロール指示がなされた場合には、前記スクロール制御手段は、前記スクロール表示と、前記ズームアップ表示又は前記拡大表示とを行い、
前記第２の操作手段により前記スクロール表示がなされた場合には、前記スクロール制御手段は、前記スクロール表示をおこなうことを特徴とする請求項１乃至８の内いずれか１記載の表示制御装置。
【請求項１０】
前記スクロール操作の頻度を検出する検出手段を備え、
前記検出手段による検出した頻度が所定頻度以下の場合には、前記スクロール制御手段は、前記スクロール表示と、前記ズームアップ表示又は前記拡大表示とを行い、
前記検出手段よる検出した頻度が所定頻度以下の場合には、前記スクロール制御手段は、前記スクロール表示を行うことを特徴とする請求項１乃至８の内いずれか１記載の表示制御装置。
【請求項１１】
前記スクロール操作が所定時間内に連続して行われてない場合には、前記スクロール制御手段は、前記スクロール表示と、前記ズームアップ表示又は前記拡大表示とを行い、
前記スクロール操作が前記所定時間内に連続して行われた場合には、前記スクロール制御手段は、前記スクロール表示を行うことを特徴とする請求項１乃至８の内いずれか１記載の表示制御装置。
【請求項１２】
前記スクロール制御手段は、前記スクロール操作により前記複数の項目の端の項目までスクロールの指示が出された場合にのみ、前記ズームアップ表示又は前記拡大表示を行うことを特徴とする請求項１乃至８の内いずれか１記載の表示制御装置。
【請求項１３】
前記スクロール制御手段は、前記複数の項目内の最端部の項目が前記表示部にスクロール表示により表示される場合にのみ、前記ズームアップ表示又は前記拡大表示を行うことを特徴とする請求項１乃至８の内いずれか１記載の表示制御装置。
【請求項１４】
前記項目はメニュー項目であり、
揺動又は回動操作可能で且つ押圧操作可能なスイッチ部を備え、
前記スイッチ部の揺動又は回動操作により、前記スクロール操作を行うと共に、前記複数のメニュー項目から任意のメニュー項目を選択し、
前記スイッチ部の押圧操作により、前記選択した項目に関係する他の画面に遷移することを特徴とする請求項１乃至８または請求項１０乃至１３の内いずれか１記載の表示制御装置。
【請求項１５】
前記スクロール制御手段は、前記複数のメニュー項目と対応する複数のアイコンを前記表示部に表示すると共に、前記メニュー項目と同様にスクロール表示且つズームアップ表示又は拡大表示することを特徴とする請求項１乃至１４の内いずれか１記載の表示制御装置。
【請求項１６】
表示制御装置に用いられる表示制御プログラムであって、
複数の項目の少なくとも一部を第１のサイズで表示部に表示するステップと、
スクロールの操作に応じて、前記表示部において前記項目をスクロール表示すると共に、前記表示部に表示する項目の少なくとも一部を前記第１のサイズまでズームアップして表示するステップとを有することを特徴とする表示制御プログラム。
【請求項１７】
表示制御装置に用いられる表示制御プログラムであって、
複数の項目の少なくとも一部を表示部に表示するステップと、
スクロールの操作に応じて前記表示部において前記項目をスクロール表示すると共に、前記表示部に表示する項目の少なくともスクロール方向とは逆側の項目をズームアップして表示するステップとを有することを特徴とする表示制御プログラム。
【請求項１８】
表示制御装置に用いられる表示制御プログラムであって、
複数の項目の少なくとも一部を表示部に表示するステップと、
スクロールの操作に応じて前記表示部において前記項目を左右又は上下にスクロール表示すると共に、前記表示部に表示する項目の少なくとも一部を前記スクロール表示の前記左右又は上下で異なるズームアップをして表示するステップとを有することを特徴とする表示制御プログラム。
【請求項１９】
表示制御装置に用いられる表示制御プログラムであって、
複数の項目の少なくとも一部を第１のサイズで表示部に表示するステップと、
スクロールの操作に応じて前記表示部において前記項目をスクロール表示すると共に、前記表示部に表示する項目の少なくとも一部を前記第１のサイズより小なるサイズから前記第１のサイズまで徐々に拡大して表示するステップとを有することを特徴とする表示制御プログラム。
【請求項２０】
表示制御装置に用いられる表示制御プログラムであって、
仮想空間に配置した複数の項目を所定平面に投影した画像を表示部に表示するステップと、
スクロールの操作に応じて前記複数の項目を前記仮想空間で移動することにより前記表示部においてスクロール表示すると共に、前記表示部に表示する項目の少なくとも一部を前記所定平面より離れた位置から近い位置に移動することにより前記表示部においてズームアップして表示するステップとを有することを特徴とする表示制御プログラム。
【請求項２１】
表示制御装置に用いられる表示制御プログラムであって、
仮想空間に配置した複数の項目を該仮想空間に配置した仮想カメラで投影した画像を表示部に表示するステップと、
スクロールの操作に応じて前記複数の項目又は前記仮想カメラの少なくとも一方を前記仮想空間で移動することにより前記表示部において前記項目をスクロール表示すると共に、前記複数の項目の少なくとも一部と前記仮想カメラの少なくとも一方を前記複数の項目と前記仮想カメラの距離が近くなるように移動することにより、前記表示部において前記複数の項目の一部をズームアップして表示するステップとを有することを特徴とする表示制御プログラム。
【手続補正２】
【補正対象書類名】明細書
【補正対象項目名】００１５
【補正方法】変更
【補正の内容】
【００１５】
また本発明によれば、仮想空間に配置した複数の項目を該仮想空間に配置した仮想カメラで撮影した画像を表示部に表示可能な表示制御装置において、
スクロールの操作に応じて前記複数の項目又は前記仮想カメラの少なくとも一方を前記仮想空間内で移動することにより前記表示部においてスクロール表示するスクロール表示制御手段を備え、
前記スクロール表示制御手段は、前記複数の項目の少なくとも一部と前記仮想カメラの少なくとも一方を前記複数の項目と前記仮想カメラの距離が近くなるよう移動することにより、前記複数の項目の少なくとも一部をズームアップして表示することを特徴とする表示制御装置が得られる。
また複数の項目の少なくとも一部を表示部に表示可能な表示装置において、前記複数の項目の少なくとも一部を前記表示部に表示すると共に、スクロールの操作に応じて前記項目を前記表示部において円弧状にスクロール表示するスクロール表示制御手段を備え、前記スクロール表示制御手段は、前記スクロール操作に応じて、前記表示部に表示する前記複数の項目の少なくとも一部をほかの項目に比べ異なるサイズで表示することを特徴とする表示制御装置が得られる。
さらに複数の項目の少なくとも一部を表示部に表示可能な表示装置において、前記複数の項目の少なくとも一部を前記表示部に表示すると共に、スクロールの操作に応じて前記項目を前記表示部において略円状又は楕円状にスクロール表示するスクロール表示制御手段を備え、前記スクロール表示制御手段は、前記スクロール操作に応じて、前記表示部に表示する前記複数の項目の少なくとも一部をほかの項目に比べ異なるサイズで表示することを特徴とする表示制御装置が得られる。